(57)【要約】【課題】大量に効率よく搬送できるようにしたシート取込装置及びシート搬送装置を提供する。【解決手段】  第一の載置台２と第二の載置台４を配置し、二つの載置台に対して一つの給紙部材をもうける。該給紙部材は、第一の載置台２と第二の載置台４の間に設けられた一つのピックアップローラ７と、搬送方向下流側に設けられたシートさばき部１２で構成される。前記シートさばき部１２は正逆回転可能な一つの第一のローラ１０と正逆回転可能な一つの第二のローラ１１で構成される。前記ピックアップローラ７は第一の載置台２と第二の載置台４に押圧するように揺動し、シートさばき部１２にシートを送出する。前記シートさばき部１２はシートが送出される載置台に応じて第一のローラ１０と第二のローラ１１の回転方向を制御し、給紙機能と分離機能の役割を適切に切り替え、シートに対する適切なさばきを付与できるように揺動させる。【選択図】図１
2018203485.tif 000002
【特許請求の範囲】
【請求項１】
シート束が載置される第一の載置台と、
シート束が載置される第二の載置台と、
前記第一の載置台及び前記第二の載置台の間で往復移動するピックローラと、
前記ピックローラの回転駆動を制御する制御手段と、を備え、
前記第一の載置台上のシート束に対しては、前記第一の載置台の載置面側から前記ピックローラを作用させ、前記制御手段によって前記ピックローラの回転方向を第１方向に回転制御することにより、シート束の最下位からシートの取り込みを行う一方、
前記第二の載置台上のシート束に対しては、シート束の最上面に前記ピックローラを作用させ、前記制御手段によって前記ピックローラの回転方向を前記第１方向と逆方向に回転制御することにより、シート束の最上位からシートの取り込みを行うことを特徴とするシート取込装置。
【請求項２】
載置されたシート束の上側のシートから順次送出される第一の載置台と、
載置されたシート束の下側のシートから順次送出される第二の載置台と、
前記第一の載置台と第二の載置台の間に位置する一つのピックアップローラと、
前記ピックアップローラの下流に位置する第一のローラ及び第二のローラで構成されるシートさばき部と、
前記ピックアップローラを、シートを送出させる前記第一の載置台または前記第二の載置台に押圧させるように揺動させる第１制御手段と、
給紙が行われる前記第一の載置台または前記第二の載置台に応じて、前記シートさばき部の前記第一のローラと前記第二のローラの回転方向を切り替え、分離機能と給紙機能の切り替えを行う第２制御手段と、
給紙が行われる前記第一の載置台または前記第二の載置台に応じて、前記ピックアップローラの回転方向を切り替える第３制御手段と、
前記ピックアップローラによってシートが送出される給紙パス上に、前記シートさばき部の前記第一のローラと前記第二のローラとのニップ部が配置されるように、該シートさばき部を揺動させる第４制御手段と、
を有することを特徴とするシート搬送装置。
【請求項３】
前記第一の載置台から給紙されたシートを、給紙されるシートの表側の面を下にして、順次上に積載する第一の排紙台と、
前記第二の載置台から給紙されたシートを、給紙されるシートの表側の面を上にして、順次上に積載する第二の排紙台と、
シートの排出先を前記第一の排紙台または前記第二の排紙台のいずれかに切り替える排紙台制御手段と、
を有することを特徴とする請求項２に記載のシート搬送装置。
【請求項４】
搬送されるシートの画像を読み取る画像読取手段を備え、
給紙が行われる前記第一の載置台または前記第二の載置台に応じて、前記画像読取手段で読み込まれた画像データの並び順を自動的に変更し保存する機能を有することを特徴とする請求項３に記載のシート搬送装置。
【請求項５】
搬送されるシートの画像を読み取る画像読取手段を備え、
給紙が行われる前記第一の載置台または前記第二の載置台に応じて、前記画像読取手段で読み取って得た画像データの並び替えの要否の要求を外部の制御機器に送信する通信機能と、
前記画像読取手段で読み取って得た画像データを外部の制御機器に送信する通信機能を有することを特徴とする請求項３に記載のシート搬送装置。
【請求項６】
請求項４又は５に記載のシート搬送装置と、前記シート搬送装置に接続された外部装置とを備えたシステムであって、
前記外部装置では、前記シート搬送装置で読み取って得た画像データの並び替えの要否の要求に基づいて、画像データの並び順を自動的に変更し保存する機能を有することを特徴とするシステム。
【発明の詳細な説明】
【技術分野】
【０００１】
本発明は、スキャナ等の画像読取装置、或はプリンタやファクシミリ、複写機等の画像形成装置等に搭載されるシート取込装置、及びこのシート取込装置を備えたシート搬送装置、及び該シート搬送装置を備える画像読取装置に関する。
【背景技術】
【０００２】
シート搬送装置を備える画像読取装置においては、原稿となるシート材を載置する１つの載置台から、ピックアップローラを介してシートを給紙し、給紙されたシートは、第一のローラおよび第二のローラによって１枚ずつに分離され搬送路に給紙される。搬送路に給紙されたシートは、搬送ローラ対によって下流側に搬送され、上下一対の読取センサで両面の画像が読み取られた後、排紙ローラ対によって排紙台に排紙される。
【０００３】
しかし、大量のシートを効率よく読取りたいというユーザの要望に対して、前記構成のシート搬送装置を備える画像読取装置では、載置台に載置できるシート材の最大枚数が規定されており、ユーザはこの最大枚数を超えるシート束を載置したい場合は、最大枚数以下のシート束に分け、載置台に載置されたシート束がすべて搬送された後に、次のシート束を載置し搬送を再開させる手順で行う必要があるため、搬送が完了するのを待つという煩わしい動作が要求され前記要望を満たすことが難しい。
【０００４】
また、ユーザが前記要望を満たすために、シート束の搬送終了を待たずに、搬送動作中に、シート束の継ぎ足しを行うこともある。搬送中のシートへの干渉により、ジャムによるシート材の破損や、複数枚の同時搬送といった問題が発生することが懸念される。
【０００５】
そこで複数の載置台を設けることで搬送中の載置台とは別の載置台にシート束を載置することで前記要望を満たす画像読取装置が考えられる。その例として特許文献１にあるような画像読取装置がある。
【０００６】
また、大量のシートを効率よく読取らせる手段として、複数台の画像読取装置を用意し、シート束を分散して効率よく読取らせることで前記のユーザの要望を満たすことも考えられる。
【先行技術文献】
【特許文献】
【０００７】
【特許文献１】特開２０１０−１６６３８９号公報
【発明の概要】
【発明が解決しようとする課題】
【０００８】
従来のシート搬送装置を持つ画像読取装置の場合、載置台が装置前面側と装置背面側にそれぞれ位置しておりシートの搬送方向が異なるため、ユーザは載置する際にシートの向きを変えて載置する必要があり、煩わしい作業が発生し効率を落とすことになる。また、それぞれの載置台に対してシートさばき部が必要となり構成が複雑となるという問題が発生する。
【０００９】
また、複数台の画像読取装置を用意し、分散して効率よく読取りを行うためには、複数台の画像読取装置と、各々を制御するためのＰＣ等の外部の制御機器が必要となり高価な構成となってしまう。また、一つのシート束を複数のシート束に分けて、別々の画像読取装置で分散して読取った場合、読取の結果として得られる画像データファイルを、別途組み合わせて一連の画像データファイルまたは画像データファイル群にする煩わしい作業が発生する。
【００１０】
本発明は、大量に効率よく搬送できるようにしたシート取込装置及びシート搬送装置を提供することである。
【課題を解決するための手段】
【００１１】
本発明のシート取込装置は、シート束が載置される第一の載置台と、シート束が載置される第二の載置台と、前記第一の載置台及び前記第二の載置台の間で往復移動するピックローラと、前記ピックローラの回転駆動を制御する制御手段と、を備え、前記第一の載置台上のシート束に対しては、前記第一の載置台の載置面側から前記ピックローラを作用させ、前記制御手段によって前記ピックローラの回転方向を第１方向に回転制御することにより、シート束の最下位からシートの取り込みを行う一方、前記第二の載置台上のシート束に対しては、シート束の最上面に前記ピックローラを作用させ、前記制御手段によって前記ピックローラの回転方向を前記第１方向と逆方向に回転制御することにより、シート束の最上位からシートの取り込みを行うことを特徴とする。
【００１２】
また、本発明の一側面であるシート搬送装置では、複数枚のシートからなるシート束を載置する第一の載置台と、同じく第二の載置台を配置し、各々の載置台に載置されたシートを搬送するために２つの載置台の間に位置する一つの正逆回転可能なピックアップローラと、その下流側に位置する一つの正逆回転可能な第一のローラと一つの正逆回転可能な第二の分離ローラで構成されるシートさばき部が配置される。前記ピックアップローラを揺動させ第一の載置台または第二の載置台に載置されたシートに押圧する制御手段を設ける。また、シートさばき部を構成する第一のローラと第二のローラの回転方向を切り替え、給紙機能と分離機能の切り替えを行う制御手段と、前記シートさばき部の第一のローラと第二のローラとのニップ部をシートの搬送路上に位置させる揺動制御手段とを備えることを特徴とする。
【発明の効果】
【００１３】
本発明は、前述したような大量に効率よくシートを搬送させることができない問題を解決するもので、給紙部に２つの載置台を設けることで、１つの載置台からシートを搬送中でも、他方の載置台にシート束が載置されていなければ、新たにシート束を載置でき、ユーザが載置されたすべてのシートの搬送が完了するのを待つ手間をなくし、効率よくシート束を追加載置し、シートを効率良く搬送することが可能となる。
【００１４】
また、シートさばき部内の第一のローラと第二のローラの個数を減らし構成を簡素化しつつ、揺動制御を行うことで適切なシートさばき機能を持たせ給紙安定性を上げることが可能となる。
【００１５】
また、給紙される載置台に応じて読取られた画像を自動的に並び替えて画像データを保存することで、ユーザによる画像データの並び替えなしに、載置されたシート束の順番と同じ順番に画像データを保存することができる。
【図面の簡単な説明】
【００１６】
【図１】本発明の第１の実施の形態に係るシート搬送装置の側面断面図。
【図２】本発明の第１の実施の形態に係るシート搬送装置の制御系を示すブロック図。
【図３】本発明の第１の実施の形態に係るシート搬送装置の制御フローチャート。
【図４】本発明の第２の実施の形態に係るシート搬送装置の側面断面図。
【図５】本発明の第２の実施の形態に係るシート搬送装置の制御フローチャート。
【発明を実施するための形態】
【００１７】
以下、本発明を実施するための最良の形態を、図面を用いて詳細に説明する。但し、この実施の形態に記載されている構成部品の寸法、材質、形状、その相対配置等は、特に特定的な記載がない限りは、この発明の範囲をそれらのみに限定する趣旨のものではない。
【００１８】
（実施例１）
図１は第１の実施例における画像読取装置の側面図、図２は画像読取装置の制御系を示すブロック図である。
【００１９】
図１において、１は画像読取装置である。２は、画像読取装置１が送出するシート（例えば、原稿、記録紙等）の束（以下、シート束）３を載置する第一の載置台である。第一の載置台２はシート束３を載置し、シート３ａの重なり方向をおおよそ垂直方向に向けた状態で載置される載置台である。第一の載置台２はシート束３の有無を検知する原稿検知センサ１３が設けられる。
【００２０】
４は、画像読取装置１が送出するシート束５を載置する第二の載置台である。第二の載置台４は第一の載置台２と異なり、第二の載置台４のシート搬送方向下流側が、上流側に比べて下がった位置にある。すなわち載置されるシート束５の先端が下を向く形で載置される載置台である。第二の載置台４はシート束５の有無を検知する原稿検知センサ１４が設けられる。
【００２１】
第一の載置台２と第二の載置台４間のシート搬送方向下流側の鉛直方向の距離Ｌ１と、シート搬送方向上流側の鉛直方向の距離Ｌ２とすると、Ｌ１＜Ｌ２の関係が成り立つ。これにより、第一の載置台２のシート搬送方向上流側の開口面積が広くなりユーザは第一の載置台２にシート束３を載置する際の容易さが向上する。
【００２２】
７は、第一の載置台２に載置されたシート３ａ、または第二の載置台４に載置されたシート５ａを載置台２または４から送出するピックアップローラである。ピックアップローラ７は図１に示す方向に移動可能に支持部材５０で支持されている。ピックアップローラ７を下方向に移動させ、第一の載置台２に載置された最上部のシート３ａに当接させ、図中の反時計方向に回転させることでシート３ａを送出する（図１（ｃ））。またピックアップローラ７を上方向に移動させ、第二の載置台４に載置された最下部のシート５ａに当接させ、図中の時計方向に回転させることでシート５ａを送出する（図１（ｂ））。
【００２３】
ピックアップローラ７をシート５ａに当接させる場合、ピックアップローラ７を適切な押付圧で当接させるために、６の押圧板を用いた付勢手段によりシート束５を押し当てる。なお、押圧板６を付勢する付勢手段に関してはコイルバネ１５の伸縮性を利用したものや、モータなどの動力を利用したものなどを使用するなど様々な手段が考えられるが、これらの範囲に限定されるものではない。
【００２４】
シートさばき部１２は第一のローラ１０と第二のローラ１１で構成されている。そして、前記２つの載置台２、４から送出されるシートに対して、第一のローラ１０と第二のローラ１１の間で、シートさばき作用を発揮させることができるようにする。第一のローラ１０と第二のローラ１１は正逆回転可能である。第一の載置台２からシートが送出されている場合、第一のローラ１０で給紙動作を、第二のローラ１１で分離動作が行えるように回転方向が制御される（図１（ｃ））。一方、第二の載置台４からシートが送出されている場合、第二のローラ１１で給紙動作を、第一のローラ１０で分離動作が行えるように回転方向が制御される（図１（ｂ））。つまりシートが送出されている載置台に応じて、第一のローラ１０と第二のローラ１１の回転方向を制御し、各ローラの給紙機能と分離機能の役割を入れ替える制御が行われる。
【００２５】
シートさばき部１２は適切なシートさばき作用を発生させるために、第一のローラ１０と第二のローラ１１のニップ部を、シートを送出している載置台からの搬送路上に位置させる必要がある。シートさばき部１２は揺動可能に支持され、第一の載置台２からシートが送出される場合、シートさばき部１２を下方向に移動させニップ部を第一の載置台２からの搬送路上に位置させ、同様に第二の載置台４からシートが送出される場合、シートさばき部１２を上方向に移動させニップ部を第二の載置台４からの搬送路上に位置させる揺動制御が行われる。
【００２６】
シートさばき部１２を通過したシートは下流にある搬送ローラ対で、その下流にある画像読取センサ部２２、２３へ給紙され、画像が読み取られる。
【００２７】
３０は搬送路選択フラップで、シートを送出した第一または第二の載置台２または４に応じて排紙の搬送路を切り替える駆動制御が行われる。２５は第一の排紙台２から送出されたシート３ａの表側の面を下にして、順次上に積載していく排紙台である。２４は第二の排紙台４から送出されたシート５ａの表側の面を上にして、順次上に積載していく排紙台である。
【００２８】
１００は操作部である。操作部１００は画像読取装置１に対する指示を入力するためのユーザインターフェイスである。例えば読取モードや、読取サイズの指示等をこの操作部１００でのユーザ操作により選択入力させる。なお、表示部１００でのユーザによる選択入力操作に代えて、通信部１８０を介して通信Ｉ／Ｆで接続されたＰＣ等の外部の制御装置１９０から上述した指示を選択入力させるようにしてもよい。
【００２９】
１１０は内部にＣＰＵを備える制御部であり、画像読取装置１を制御する。１２０は載置台２、４上で載置されたシートの有無を検知する原稿検知センサ１３、１４または画像読取センサ２２、２３を含むセンサ類である。１３０はピックアップローラ７等の各種可動部材を駆動させるためのモータ類である。１４０はモータ類１３０を動作させるためのモータドライバであり、制御部１１０よりモータ動作指令を受けてモータに動作信号を出力する。１５０は全体の制御プログラムや読取った画像を格納するためのメモリ（ＲＯＭ）である。なお、制御部１１０は、このＲＯＭ１５０に記録されたプログラムを読みだして実行することにより、画像読取装置１を制御する。１６０はセンサ類１２０からの信号の保存や読取った画像データを一時的に保存する等に使用されるメモリ（ＲＡＭ）である。１７０はモータ類１３０の回転信号を出力するエンコーダである。
【００３０】
次に、このような画像読取装置１のシート給紙制御、およびシート排紙制御について説明する。
【００３１】
ユーザが複数枚のシート３ａまたは５ａを載置台２または４に載置し、操作部１００の操作スイッチ（不図示の読取動作開始スイッチ）を押圧する、または通信部１８０を介して接続されたＰＣ等の外部の制御装置１９０から動作開始信号を受けると制御部１１０はユーザが第一の載置台２からの搬送を選択したか否かを判断し、第一の載置台２が選択されていればステップＳ５０２に進み、第二の載置台４が選択されていればステップＳ５１２に進む。
【００３２】
ステップＳ５０２では第一の載置台２に設けられた原稿検知センサ１３から出力される電気信号（発行受光センサ信号）をもとに、センサ１３がシート束３を検出しているか否かを判定する。センサ１３がシート束３を検出している場合はステップＳ５０３に進み、センサ１３がシート束３を検出していない場合はステップＳ５１２に進む。
【００３３】
ステップＳ５０３では制御部１１０はピックアップローラ７を第一の載置台２に載置されたシート束３に押圧させるためにピックアップローラ７を下げる方向に、支持部材５０を揺動させる不図示の駆動手段を制御する。
【００３４】
ステップＳ５０４では制御部１１０は第一のローラ１０と第二のローラ１１とのニップ部を、第一の載置台２からの搬送路上に位置させるために、シートさばき部１２を下げる方向に揺動させる不図示の駆動手段を制御する。
【００３５】
ステップＳ５０５では制御部１１０は第一の載置台２からシート３ａをシートさばき部１２にむけて送出するために、ピックアップローラ７の回転方向が図１において反時計回りになるように不図示の回転制御手段を制御する。
【００３６】
ステップＳ５０６では制御部１１０は第一のローラ１０と第二のローラ１１を図１において反時計回りになるように不図示の正逆駆動可能な回転制御手段を制御し、適切なシートさばき作用を発生させる。
【００３７】
ステップＳ５３１では制御部１１０は搬送路選択フラップ３０を、シート３ａが搬送路３１を通過６て第一の排紙台２５に排紙されるように上側に移動させる不図示の駆動手段を制御する。このときシート束３の最上部に載置されたシート３ａの表側の面を下にして順次排紙台２５上に排紙されるため、第一の載置台２に載置された時と第一の排紙台２５に排紙された時のシート束の順番は変更されない。
【００３８】
ステップＳ５０７ではシート３ａの搬送を行う。
【００３９】
ステップＳ５０８では制御部１１０は、操作部１００または通信部１８０を介して接続されたＰＣ等の外部の制御機器１９０からシート搬送停止命令を受けたか否かを判断し、シート搬送停止命令を受けた場合、搬送を停止させ、シート搬送停止命令を受けなかった場合、ステップＳ５０９に進む。
【００４０】
ステップＳ５０９では第一の載置台２に設けられた原稿検知センサ１３から出力される電気信号（発行受光センサ信号）をもとに、センサ１３がシート束３を検出しているか否かを判定する。センサ１３がシート束３を検出している場合はステップＳ５０７に戻り給紙動作を継続し、センサ１３がシート束３を検出していない場合は第一の載置台２のシート束３の搬送が完了したとし、ステップＳ５１２に進む。
【００４１】
ステップＳ５１２では第二の載置台４に設けられた原稿検知センサ１４から出力される電気信号（発行受光センサ信号）をもとに、センサ１４がシート束５を検出しているか否かを判定する。センサ１４がシート束５を検出している場合はステップに進み、センサ１４がシート束５を検出していない場合はステップＳ５３３に進む。
【００４２】
ステップＳ５３３では制御部１１０は、操作部１００または通信部１８０を介して接続されたＰＣ等の外部の制御機器１９０からシート搬送停止命令を受けたか否かを判断し、シート搬送停止命令を受けた場合、搬送を停止させ、シート搬送停止命令を受けなかった場合、ステップＳ５０２に戻る。
【００４３】
ステップＳ５１３では制御部１１０はピックアップローラ７を第二の載置台４に載置されたシート束５に押圧させるためにピックアップローラ７を上げる方向に、支持部材５０を揺動させる不図示の駆動手段を制御する。
【００４４】
ステップＳ５１４では制御部１１０は第一のローラ１０と第二のローラ１１とのニップ部を、第二の載置台４からの搬送路上に位置させるために、シートさばき部１２を上げる方向に揺動させる不図示の駆動手段を制御する。
【００４５】
ステップＳ５１５では制御部１１０は第二の載置台４からシート５ａをシートさばき部１２にむけて送出するために、ピックアップローラ７の回転方向を図１において時計回りになるように不図示の回転制御手段を制御する。
【００４６】
ステップＳ５１６では制御部１１０は第一のローラ１０と第二のローラ１１を図１において時計回りになるように不図示の正逆駆動可能な回転制御手段を制御し、適切なシートさばき作用を発生させる。
【００４７】
ステップＳ５３２では制御部１１０は搬送路選択フラップ３０を、シート５ａが搬送路３２を通過して第二の排紙台２４に排紙されるように下側に移動させる不図示の駆動手段を制御する。このときシート束５の最下部に載置されたシート５ａの裏側の面を下にして順次排紙台２４上に排紙されるため、第二の載置台４に載置された時と第二の排紙台２４に排紙された時のシート束の順番は変更されない。
【００４８】
ステップＳ５１７ではシート５ａの搬送を行う。
【００４９】
ステップＳ５１８では制御部１１０は、操作部１００または通信部１８０を介して接続されたＰＣ等の外部の制御機器１９０からシート搬送停止命令を受けたか否かを判断し、シート搬送停止命令を受けた場合、搬送を停止させ、シート搬送停止命令を受けなかった場合、ステップＳ５１９に進む。
【００５０】
ステップＳ５１９では第二の載置台４に設けられた原稿検知センサ１４から出力される電気信号（発行受光センサ信号）をもとに、センサ１４がシート束５を検出しているか否かを判定する。センサ１４がシート束５を検出している場合はステップＳ５１７に戻り給紙動作を継続し、センサ１４がシート束５を検出していない場合は第二の載置台４のシート束５の搬送が完了したとし、ステップＳ５０２に戻る。
【００５１】
次に画像データの並び順を自動的に変更し保存する機能について説明する。
【００５２】
前記の給紙方法では、第一の載置台２から給紙する場合、ピックアップローラ７がシート束３の最上部に当接しシートを送出するため、上に載置されたシートから順次送出される。一方、第二の載置台４から給紙する場合、ピックアップローラ７がシート束５の最下部に当接しシートを送出するため、下に載置されたシートから順次送出される。
【００５３】
ユーザはシート束３および５を、シート束内の最初のシート、つまり最初に読み取らせたいシート、が最上部になるように載置台２または４に載置する。しかし、第二の載置台４から給紙した場合、シート束の最後のシート、つまり最後に読み取らせたいシート、から逆順に送出されることになり、読取られた画像データを読取られた順番で保存すると、ユーザが意図した順番と逆順に保存される。
【００５４】
この問題を回避するために画像読取装置１の制御部１１０はＲＡＭ１６０を用いて処理を行う。
【００５５】
第一の載置台２から送出されたシートの画像データの場合、制御部１１０は読取られた順番に電子ファイル化しＲＡＭ１６０またはＲＯＭ１５０に保存、もしくは信部１８０を介して接続されたＰＣ等の外部の制御機器１９０に送出する。
【００５６】
第二の載置台４から送出されたシートの画像データの場合、制御部１１０は読取られた画像データをＲＡＭ１６０に一時保存する。制御部１１０は第二の載置台４に設けられたシート検知センサ１４からの信号をもとに、第二の載置台４にシートがなくなったことを検知すると、ＲＡＭ１６０に一時保存された画像データを最新のものから順番に呼び出し、読み込まれた順番と逆順になるように電子ファイル化しＲＡＭ１６０またはＲＯＭ１５０に保存、もしくは通信部１８０を介して接続されたＰＣ等の外部制御機器１９０に送出する。
【００５７】
上記の画像データの並び順を自動的に変更し保存する機能は画像読取装置１で実施することだけに制限されない。制御部１１０は通信部１８０を介して接続されたＰＣ等の外部制御機器１９０に、シートを送出する載置台が第一の載置台２の場合、画像の並び替えの必要が無いことを表す要求（並び替え不要要求）を、また、シートを送出する載置台が第二の載置台４の場合、画像の並び替えの必要があることを表す要求（並び替え必要要求）を送信する。画像読取装置１の制御部１１０は読み込んだ画像データをＰＣ等の外部の制御機器１９０に送出し、外部の制御機器１９０は、前記の並び替え不要要求と並び替え必要要求に基づき、画像データの並び替えおよび電子ファイル化を実行しても構わない。
【００５８】
以上、説明したように、本実施例によれば、載置台上のシート束の搬送中に、ユーザは他方の載置台が空いていれば、別のシート束を載置することができ大量に効率よくシートを搬送でき、排紙されたシートの順番も画像読取装置で読み取られた画像の電子データの順番も狂わず、かつ、高価な構成とせずに、画像読取装置を提供することができる。また、シートさばき部の構成を簡素化しつつ、適切なシートさばき機能を持たせ給紙安定性を上げることが可能となる。
【００５９】
本実施例では第一の載置台と第二の載置台を図１に示す位置関係としたが、第一の載置台と第二の載置台の相対的な位置関係、および載置するシート束の重なり方向を限定するものではない。
【００６０】
また、本実施例では第一の載置台２と第二の載置台４は固定的に配置されているが、第一の載置台２、第二の載置台４が上下方向に移動制御されても良い。
【００６１】
（実施例２）
次に図４〜図５を参照して、本発明の第二の実施例である画像読取装置について説明する。なお、上記実施例１の実施形態に対して重複または相当する部分については図および符号を流用して説明する。
【００６２】
本実施形態では図４に示すようにシートさばき部１２は第一のローラ１０と第二のローラ１１の上流側にシート導入路５１が配置されている。シート導入路５１はシートさばき部１２が適切なシートさばき作用を発生させるために、シートを送出している載置台からシートを第一のローラ１０と第二のローラ１１のニップ部に導くための搬送路であり、適切な位置に位置するよう揺動制御が行われる。
【００６３】
本実施例における画像読取装置のシート給紙制御、およびシート排紙制御について説明する。
【００６４】
ユーザが複数枚のシート３ａまたは５ａを載置台２または４に載置し、操作部１００の操作スイッチ（不図示の読取動作開始スイッチ）を押圧する、または通信部１８０を介して接続されたＰＣ等の外部の制御装置１９０から動作開始信号を受けると制御部１１０はユーザが第一の載置台２を選択したか否かを判断し、第一の載置台２が選択されていればステップＳ６０２に進み、第二の載置台５が選択されていればステップＳ６１２に進む。
【００６５】
ステップＳ６０２では第一の載置台２に設けられた原稿検知センサ１３から出力される電気信号（発行受光センサ信号）をもとに、センサ１３がシート束３を検出しているか否かを判定する。センサ１３がシート束３を検出している場合はステップＳ６０３に進み、センサ１３がシート束３を検出していない場合はステップＳ６１２に進む。
【００６６】
ステップＳ６０３では制御部１１０はピックアップローラ７を第一の載置台２に載置されたシート束３に押圧させるためにピックアップローラ７を下げる方向に、支持部材５０が回転動作するように不図示の駆動手段を制御する。
【００６７】
ステップＳ６０４では制御部１１０はシート導入路５１を、第一の載置台２からの搬送路上に位置させるために、シート導入路５１を下げる方向に移動させる不図示の駆動手段を制御する。このとき、シートさばき部１２内の第一のローラ１０および第二のローラ１１の位置は固定されている。
【００６８】
ステップＳ６０５では制御部１１０は第一の載置台２からシート３ａをシートさばき部１２にむけて送出するために、ピックアップローラ７の回転方向が図４において
反時計回りになるように不図示の回転制御手段を制御する。
【００６９】
ステップＳ６０６では制御部１１０は第一のローラ１０と第二のローラ１１を図４において反時計回りになるように不図示の正逆駆動可能な回転制御手段を制御し、適切なシートさばき作用を発生させる。
【００７０】
ステップＳ６３１では制御部１１０は搬送路選択フラップ３０を、シート３ａが搬送路３１を通過して第一の排紙台２５に排紙されるように上側に移動させる不図示の駆動手段を制御する。このときシート束３の最上部に載置されたシート３ａの表側の面を下にして順次排紙台２５上に排紙されるため、第一の載置台２に載置された時と第一の排紙台２５に排紙された時のシート束の順番は変更されない。
【００７１】
ステップＳ６０７ではシート３ａの搬送を行う。
【００７２】
ステップＳ６０８では制御部１１０は、操作部１００または通信部１８０を介して接続されたＰＣ等の外部の制御機器１９０からシート搬送停止命令を受けたか否かを判断し、シート搬送停止命令を受けた場合、搬送を停止させ、シート搬送停止命令を受けなかった場合、ステップＳ６０９に進む。
【００７３】
ステップＳ６０９では第一の載置台２に設けられた原稿検知センサ１３から出力される電気信号（発行受光センサ信号）をもとに、センサ１３がシート束３を検出しているか否かを判定する。センサ１３がシート束３を検出している場合はステップＳ６０７に戻り給紙動作を継続し、センサ１３がシート束３を検出していない場合は第一の載置台２のシート束３の搬送が完了したとし、ステップＳ６１２に進む。
【００７４】
ステップＳ６１２では第二の載置台４に設けられた原稿検知センサ１４から出力される電気信号（発行受光センサ信号）をもとに、センサ１４がシート束５を検出しているか否かを判定する。センサ１４がシート束５を検出している場合はステップに進み、センサ１４がシート束５を検出していない場合はステップＳ５３３に戻る。
【００７５】
ステップＳ６３３では制御部１１０は、操作部１００または通信部１８０を介して接続されたＰＣ等の外部の制御機器１９０からシート搬送停止命令を受けたか否かを判断し、シート搬送停止命令を受けた場合、搬送を停止させ、シート搬送停止命令を受けなかった場合、ステップＳ６０２に戻る。
【００７６】
ステップＳ６１３では制御部１１０はピックアップローラ７を第二の載置台４に載置されたシート束５に押圧させるためにピックアップローラ７を上げる方向に、支持部材５０が回転動作するように不図示の駆動手段を制御する。
【００７７】
ステップＳ６１４では制御部１１０はシート導入路５１を、第二の載置台４からの搬送路上に位置させるために、シート導入路５１を上げる方向に移動させる不図示の駆動手段を制御する。このとき、シートさばき部１２内の第一のローラ１０および第二のローラ１１の位置は固定されている。
【００７８】
ステップＳ６１５では制御部１１０は第二の載置台４からシート５ａをシートさばき部１２にむけて送出するために、ピックアップローラ７の回転方向を図４において時計回りになるように不図示の回転制御手段を制御する。
【００７９】
ステップＳ６１６では制御部１１０は第一のローラ１０と第二のローラ１１を図４において時計回りになるように不図示の正逆駆動可能な回転制御手段を制御し、適切なシートさばき作用を発生させる。
【００８０】
ステップＳ６３２では制御部１１０は搬送路選択フラップ３０を、シート５ａが搬送路３２を通過して第二の排紙台２４に排紙されるように下側に移動させる不図示の駆動手段を制御する。このときシート束５の最下部に載置されたシート５ａの裏側の面を下にして順次排紙台２４上に排紙されるため、第二の載置台４に載置された時と第二の排紙台２４に排紙された時のシート束の順番は変更されない。
【００８１】
ステップＳ６１７ではシート５ａの搬送を行う。
【００８２】
ステップＳ６１８では制御部１１０は、操作部１００または通信部１８０を介して接続されたＰＣ等の外部の制御機器１９０からシート搬送停止命令を受けたか否かを判断し、シート搬送停止命令を受けた場合、搬送を停止させ、シート搬送停止命令を受けなかった場合、ステップＳ６１９に進む。
【００８３】
ステップＳ６１９では第二の載置台４に設けられた原稿検知センサ１４から出力される電気信号（発行受光センサ信号）をもとに、センサ１４がシート束５を検出しているか否かを判定する。センサ１４がシート束５を検出している場合はステップＳ６１７に戻り給紙動作を継続し、センサ１４がシート束５を検出していない場合は第二の載置台４のシート束５の搬送が完了したとし、ステップＳ６０２に戻る。
【００８４】
本実施例での他の構成及び作業効果は前記実施例１の実施形態と同様である。
【００８５】
（実施例３）
前記実施例１では、ユーザは第二の載置台４にシート束５を、シート束内の最初のシート、つまり最初に読み取らせたいシート、が最上部になるように載置する場合を説明した。本実施例では実施例１と逆に、ユーザが第二の載置台４にシート束５を最初のシート、つまり最初に読み取らせたいシート、が最下部になるように載置した場合を説明する。なお、上記実施例１に対して異なる部分である画像データの並び順を自動的に変更し保存する機能について説明する。
【００８６】
本実施例では、ユーザはシート束５を、最初のシートが最下部になるように、つまり下を向くように第二の載置台４に載置するため、第二の載置台４から給紙した場合、シート束の最初のシートから送出されることになる。このとき、最初のシートが下を向くため、シートの表側の面を画像読取センサ２２で、裏側の面を画像読取センサ２３で読み取ることになる。一方、第一の載置台２から送出されるシートは表側の面を画像読取センサ２３で、裏側の面を画像読取センサ２２で読み取ることになる。従って、第二の載置台４から送出されたシートの画像データは表裏が逆順となる。
【００８７】
この問題を回避するために画像読取装置１の制御部１１０はＲＡＭ１６０を用いて処理を行う。
【００８８】
第一の載置台２から送出されたシートの画像データの場合、制御部１１０はシートの表側の面を読取った画像読取センサ２３からの画像データ、シートの裏側の面を読取った画像読取センサ２２からの画像データの順番に電子ファイル化しＲＡＭ１６０またはＲＯＭ１５０に保存、もしくは通信部１８０を介して接続されたＰＣ等の外部の制御機器１９０に送出する。
【００８９】
ピックアップローラ７が上の位置にある場合は第二の載置台４から送出されたシートの画像データであるため、制御部１１０は読取られたシートの表面を読取った画像読取センサ２２からの画像データ、シートの裏面を読取った画像読取センサ２２からの画像データの順番に電子ファイル化しＲＡＭ１６０またはＲＯＭ１５０に保存、もしくは通信部１８０を介して接続されたＰＣ等の外部の制御機器１９０に送出する。
【００９０】
上記の動作は画像読取装置１で実施することだけに制限されない。制御部１１０は通信部１８０を介して接続されたＰＣ等の外部制御機器１９０に、シートを送出する載置台が第一の載置台２の場合、画像の表裏の並び替えの必要が無いことを表す要求（表裏並び替え不要要求）を、また、シートを送出する載置台が第二の載置台４の場合、画像の表裏の並び替えの必要があることを表す要求（表裏並び替え必要要求）を送信する。画像読取装置１の制御部１１０は読み込んだ画像データをＰＣ等の外部の制御機器１９０に送出し、外部の制御機器１９０は、前記の表裏並び替え不要要求と表裏並び替え必要要求に基づき、画像データの表裏の並び替えおよび電子ファイル化を実行しても構わない。
【符号の説明】
【００９１】
１          画像読取装置
２          第一の載置台
３、５      シート束
３ａ、５ａ  シート
４          第二の載置台
６          押圧板
７          ピックアップローラ
１０        第一のローラ
１１        第二のローラ
１２        シートさばき部
１３、１４  原稿検知センサ
１５        コイルバネ
２０、２１、２６  搬送ローラ対
２２、２３  画像読取センサ部
２４        第二の排紙台
２５        第一の排紙台
３０        搬送路選択フラップ
３１、３２  搬送路
５０        支持部材
５１        シート導入路
【図１】
2018203485.tif 000003
【図２】
2018203485.tif 000004
【図３】
2018203485.tif 000005
【図４】
2018203485.tif 000006
【図５】
2018203485.tif 000007